(57)【要約】【課題】光ディスク上のリードイン領域の信号を破壊することにより、データを読み取りを防止し、外部へのデータの漏出を防止する光ディスク破壊装置を提供する。【解決手段】台座１の頂面には突柱１１が設けられ、光ディスク４の中心孔４１は突柱１１に差し込まれる。貫通孔１２は穿通する光ディスク４のリードイン領域の位置に対応し、Ｌ形アーム体１３は台座１の側面位置に設けて上向きおよび中央横向きに突出している。Ｌ形アーム体１３にスプリング装置Ａを設置して、スプリング室１４の底部に通孔１６を設けて、Ｌ形アーム体１３の底面へ通す。レバー３の操作により、枢軸３１を軸にして下向きに押すと、レバー３の突起部３２が刃柱２を下向きに押して光ディスク４を穿通し、光ディスク４のリードイン領域にホール４２が形成される。【選択図】　　図２
0003098585.tif 000002
【実用新案登録請求の範囲】
【請求項１】
光ディスクの信号が記録されているリードイン領域を破壊して、前記光ディスクに保存されているデータが読み取られることを防止し、前記データの漏洩を防止するための光ディスク破壊装置であって、
台座と、刃柱と、レバーとを備え、
前記台座は、頂面が前記光ディスクの中心孔に差し込まれる突柱と、前記光ディスクのリードイン領域の位置に対応している貫通孔と、前記台座の側面位置に設けられ上向き及び中央横向きに突出しているＬ形アーム体とを有し、前記Ｌ形アーム体には前記刃柱および前記レバーに上向きの付勢力を与えるスプリング装置が設けられ、底面に凹空部が形成されており、
前記刃柱は、前記スプリング装置に設置され、垂直方向の領域が前記光ディスクの前記リードイン領域を含み、前記レバーの圧力を受けて動かされると、前記スプリング装置を圧縮して、前記光ディスクに孔を形成し、
前記レバーは、側面が枢軸により前記Ｌ形アーム体の側面に枢着され、前記刃柱の頂端を押さえる突起部が設けられていることを特徴とする光ディスク破壊装置。
【請求項２】
前記スプリング装置は、前記Ｌ形アーム体に形成されている凹形のスプリング室に設置されたスプリングを有し、
前記スプリング室の底部に通孔が設けられて前記Ｌ形アーム体の底面へ通され、
前記刃柱は前記スプリング室の前記スプリングの内周に設置されて前記スプリング室の前記通孔を通過し、
前記スプリングの頂部は、前記刃柱の頂部に設けられている翼部により押さえられていることを特徴とする請求項１記載の光ディスク破壊装置。
【請求項３】
前記突起部は、突出した弧形であることを特徴とする請求項１または２記載の光ディスク破壊装置。
【請求項４】
前記台座は、底部が下蓋体で覆われて前記凹空部の底面が封止され、前記凹空部に封止空間が形成されていることを特徴とする請求項１または２記載の光ディスク破壊装置。
【考案の詳細な説明】
【０００１】
【考案の属する技術分野】
本考案は、光ディスク破壊装置に関し、特に光ディスクの信号を穿通方式により破壊し、光ディスクのデータが外部に漏れることを防止する光ディスク破壊装置に関する。
【０００２】
【従来の技術】
一般のＣＤ、ＶＣＤ、ＤＶＤなどの光ディスクは、印刷技術により信号データを連続したサイズが異なるピットおよびランドに形成し、信号データを光ディスク中へ保存して、レーザ光で光ディスクの内容を判別して読み取る。
光ディスクを使用せずに破棄する際、光ディスク内に保存された重要データは外部に漏れる恐れがあった。データが外部に漏れることを防止する最も良い方法は、光ディスクを破棄する際に、そこに保存されたデータを破壊することである。
【０００３】
光ディスクに保存する領域中には、リードイン（ＳＴＡＲＴ　ＬＥＡＤ　ＩＮ、略称「ＳＬＤ」）という領域があり、そこには光ディスクに保存されたデータのリードイン信号の所在が記録される。そのリードイン領域は光ディスク上の直径約４６ｍｍの環状位置（つまり光ディスク中心点から半径約２３ｍｍの位置）にあり、この領域の信号が破壊されると、光ディスクに保存された全てのデータは読み取られなくなる。
現在のところ、データを読み取れなくし、データが外部に漏れることを防ぐ光ディスクのリードイン領域の信号を破壊する関連した構造あるいは装置は市販されていない。
【０００４】
【考案が解決しようとする課題】
したがって、本考案の目的は、光ディスク上のリードイン領域の信号を破壊することにより、データの読み取りを防止し、外部へのデータの漏出を防止する光ディスク破壊装置を提供することにある。
【０００５】
【課題を解決するための手段】
上述の目的を達成するために、本考案の光ディスク破壊装置は、台座と、刃柱と、レバーとを備え、前記台座は、頂面が前記光ディスクの中心孔に差し込まれる突柱と、前記光ディスクのリードイン領域の位置に対応している貫通孔と、前記台座の側面位置に設けられ上向き及び中央横向きに突出しているＬ形アーム体とを有し、前記Ｌ形アーム体には前記刃柱および前記レバーに上向きの付勢力を与えるスプリング装置が設けられ、底面に凹空部が形成されており、前記刃柱は、前記スプリング装置に設置され、垂直方向の領域が前記光ディスクの前記リードイン領域を含み、前記レバーの圧力を受けて動かされると、前記スプリング装置を圧縮して、前記光ディスクに孔を形成し、前記レバーは、側面が枢軸により前記Ｌ形アーム体の側面に枢着され、前記刃柱の頂端を押さえる突起部が設けられていることを特徴とする。レバーの操作により、その枢軸を軸にして下向きに押すと、レバーの突起部は刃柱を下向きに動かして光ディスクを穿通させ、光ディスクのリードイン領域にホールが形成される。リードイン領域上の信号を穿通して破壊し、光ディスクに保存されたデータが読み取られないようにして、破棄する光ディスクのデータが外部へ漏れることを防止する。
また、台座底面に凹空部を形成し、台座底部を覆う下蓋体が凹空部の底面を封止し、打ち抜かれたディスクの破片を集める。
【０００６】
【考案の実施の形態】
以下、本考案の構造、特徴およびその機能を図面に基づいてより詳しく説明する。
図１は本考案の実施例による光ディスク破壊装置を示す平面図であり、図２は、図１の光ディスク破壊装置の縦断面図である。
【０００７】
図１および図２に示すように、本実施例の光ディスク破壊装置は、台座１、刃柱２およびレバー３を備えている。
上述した台座１の頂面は、破棄する光ディスク４の中心孔４１に差し込む突柱１１を有している。突柱１１は、孔を開ける光ディスクの位置（リードイン領域の位置）に貫通孔１２を合わせ、Ｌ形アーム体１３を台座１の側面位置へ上向き及び中央横向きに突出して設ける。Ｌ形アーム体１３にスプリング装置Ａを設けて、刃柱２およびレバー３へ上向きの弾力を与える。スプリング装置は、例えばＬ形アーム体１３に凹形のスプリング室１４が設けられて、そこにスプリング１５が設置されたものである。そして、スプリング室底部に通孔１６を設けて、Ｌ形アーム体１３の底面まで通す。
【０００８】
スプリング装置Ａへ設置される刃柱２は、スプリング室１４のスプリング１５の内周に設置されて、スプリング室の通孔１６を通過する。刃柱頂部に翼部２１を設けてスプリング１５の頂部を押さえ、刃柱が下方へ押されると、同時に翼部もスプリング１５を下へ押してスプリング弾力が蓄えられる。下に押される圧力が解除されると、スプリングの復帰弾力が刃柱３を上昇させる。刃柱が覆う垂直方向の領域は光ディスク４のリードイン領域を含む。
【０００９】
レバー３の側面を枢軸３１によりＬ形アーム体１３の側面に枢着し、レバーに突起部３２を設けて刃柱２の頂端を押さえるが、その突起部は弧形に突出された突起部が適当である。そして、それは刃柱との接触部位を随時変えることができるため、スプリング室１４内の刃柱２を垂直方向の上下動作に維持することができる。
【００１０】
レバー３の操作により、枢軸３１を軸にして下向きに押すと、同時にレバーの突起部３２が刃柱２を下向きに動かして光ディスク４を穿通し、光ディスクのリードイン領域にホール４２を形成する。そして、リードイン領域上の信号を穿通して破壊し、光ディスクに保存されたデータが読み取られないようにして、破棄する光ディスクのデータが外部に漏れることを防止する。光ディスク４の材質はＰＣプラスチック材料を射出して成形したものであり、その厚みは僅かに約１．２ｍｍである。本実施例により上記の破壊作業を行う際には、本実施例の破壊装置に設けられた刃柱２は容易に光ディスクの所定位置を穿通し、ホールが形成される。
台座１の底面に凹空部１７を形成して、台座底部を覆う下蓋体５は、凹空部の底面を封止して封止空間を形成し、打ち抜かれた光ディスク４３の破片を集める。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、請求の範囲で指定した内容を基準とする。
【００１２】
【考案の効果】
上述した本考案の好適な実施形態から分かるように、本考案の光ディスク破壊装置は、光ディスク上のリードイン領域の信号を簡単に破壊することができる。そして、このリードイン領域の信号を破壊する方式により、データが読み取られて外部に漏れることを防止することができる。
【図面の簡単な説明】
【図１】本考案の実施例による光ディスク破壊装置を示す平面図である。
【図２】図１の光ディスク破壊装置の縦断面図である。
【符号の説明】
１　　台座
１１　　突柱
１２　　貫通孔
１３　　Ｌ形アーム体
１４　　スプリング室
１５　　スプリング
１６　　通孔
１７　　凹空部
２　　刃柱
２１　　翼部
３　　レバー
３１　　枢軸
３２　　突起部
４　　光ディスク
４１　　中心孔
４２　　ホール
４３　　破片
５　　下蓋体
Ａ　　スプリング装置
【図１】
0003098585.tif 000003
【図２】
0003098585.tif 000004